(57)【要約】【課題】    荷物や資材を運ぶパレット本体の周囲に枠材として取り付けられる建地材と横地材といった部材どうしを簡単に、しかも外れないように連結することができる部材の接合構造を提供する。【解決手段】    建地材２の側面部に受け金具４を突設する。横地材３の先端部に連結金具５を突設する。連結金具５は受け金具４の上端側に突設された上端フランジ５ａおよび中間フランジ５ｂと受け金具４の下端側に突設された下端フランジ５ｃとを有する。上端フランジ５ａと中間フランジ５ｂとの間に弛み防止板７を介在する。連結金具５の上端フランジ５ａ、中間フランジ５ｂおよび下端フランジ５ｃと弛み防止板７に受け金具４のクサビ孔４ａと連通するにクサビ孔８を連続して形成する。クサビ孔８と４ａにクサビ６を挿入する。【選択図】                    図１
2005225524.tif 000002
【特許請求の範囲】
【請求項１】
互いに接合される一方の被接合部材の側面部に突設された受け金具と、他方の被接合部材の先端部に突設された連結金具と、前記受け金具と連結金具とを結合するクサビと、前記クサビを固定する弛み防止板とを備え、前記連結金具は前記受け金具の上端側に突設された上端フランジおよび中間フランジと前記受け金具の下端側に突設された下端フランジとを有し、当該連結金具の上端フランジと中間フランジとの間に前記弛み防止板が介在してあり、かつ前記連結金具の上端フランジ、中間フランジおよび下端フランジと前記弛み防止板と前記受け金具に前記クサビが挿入されたクサビ孔が連続して形成されてなることを特徴とする部材の接合構造。
【発明の詳細な説明】
【技術分野】
【０００１】
本願発明は部材の接合構造に関し、例えば荷物や資材を運ぶためのパレットに枠材として取り付けられる建地材と横地材との接合部に適用される。
【背景技術】
【０００２】
倉庫や建設現場などのストックヤードで荷物や資材を運ぶためのパレットとして、例えば図３(ａ)に図示するようなパレット本体２０の周囲に縦地材２１と横地材２２とからなる枠が設置されたパレットが知られている。
【０００３】
また、この場合の建地材２１と横地材２２との接合部として、例えば図３(ｂ)、(ｃ)に図示するように、建地材２１の側面部と横地材２２の先端部にそれぞれ突設された受け金具２３と連結金具２４とを互いに突き合わせ、双方の連結金具２３と受け金具２４にそれぞれ形成されたクサビ孔２３ａと２４ａにクサビ２５を差し込んで簡単に接合できるようにした接合部が知られている。
【特許文献１】特開平１１−３２４３１５号公報
【特許文献２】特開平１１−２５６８１５号公報
【特許文献３】特開平１１−２４７４３３号公報
【特許文献４】特開平０５−２６３５２２号公報
【発明の開示】
【発明が解決しようとする課題】
【０００４】
しかし、このような接合構造では、クサビ２５は連結金具２３のクサビ孔２３ａと連結金具２４のクサビ孔２４ａに単に挿入されているだけなので、運搬時の振動や衝撃などによってクサビ２５が簡単に抜け落ちてしまうおそれがあった。
【０００５】
本願発明は、以上の課題を解決するためになされたもので、建地材と横地材といった部材どうしを簡単に接合することができ、しかも簡単に外れないようにした部材の接合構造を提供することを目的とするものである。
【課題を解決するための手段】
【０００６】
請求項１記載の部材の接合構造は、互いに接合される一方の被接合部材の側面部に突設された受け金具と、他方の被接合部材の先端部に突設された連結金具と、前記受け金具と連結金具とを結合するクサビと、前記クサビを固定する弛み防止板とを備え、前記連結金具は前記受け金具の上端側に突設された上端フランジおよび中間フランジと前記受け金具の下端側に突設された下端フランジとを有し、当該連結金具の上端フランジと中間フランジとの間に前記弛み防止板が介在してあり、かつ前記連結金具の上端フランジ、中間フランジおよび下端フランジと前記弛み防止板と前記受け金具に前記クサビが挿入されたクサビ孔が連続して形成されてなることを特徴とするものである。
【０００７】
本願発明は、特にクサビが連結金具の上端フランジと下端フランジに形成されたクサビ孔に挿入され、さらに上端フランジと中間フランジとの間に介在された弛み防止板のクサビ孔にも挿入されていることにより、クサビは三ヶ所のクサビ孔で固定されているため簡単に弛むようなことはなく、したがって衝撃や振動などによってクサビが抜け落ちるようなことはない。
【０００８】
なお、中間フランジの先端部に上端フランジ側に垂直に立ち上がるリップ片を設けて弛み防止板の両側を閉塞することにより、上端フランジと中間フランジとリップ片と卯ウェブとから矩形状の嵌合部を形成し、この嵌合部に弛み防止板を嵌め込んで予め取り付けておくことができる。
【０００９】
また、弛み防止板を複数重ねて介在すれば、クサビは四ヶ所以上のクサビ孔で固定されるため、クサビをより確実に挿着することができる。
【発明の効果】
【００１０】
本願発明は、特にクサビは連結金具の上端フランジと下端フランジに形成されたクサビ孔に挿入され、さらに上端フランジと中間フランジとの間に介在された弛み防止板のクサビ孔に挿入され、三ヶ所で固定されているため、衝撃や振動などによって簡単に抜けてしまうことはない。
【００１１】
したがって、建地材と横地材といった部材どうしを簡単に接合することができ、しかも簡単に外れないように連結することができる。
【発明を実施するための最良の形態】
【００１２】
図１，２は、倉庫や建設現場のストックヤード等で荷物や資材を運ぶために用いられるパレットの一例を示し、図において方形板状に形成されたパレット本体１の各コーナ部に建地材２がそれぞれ立て付けられ、この各建地材２，２間に横地材３がそれぞれ水平に架け渡されている。
【００１３】
建地材２と横地材３は共に鋼管から形成されている。建地材２の側面部に受け金具４が、横地材３の先端部に連結金具５がそれぞれ取り付けられ、受け金具４と連結金具５は互いに突き合わせられ、かつクサビ６によって互いに結合されている。
【００１４】
受け金具４は平面Ｕ字状に形成され、その開口端側を建地材２の側面部に溶接することにより建地材２の側面部に突設され、上下方向に貫通するクサビ孔４ａを形成している。
【００１５】
連結金具５は、受け金具４の上端側に所定間隔おいて二段に突設された上端フランジ５ａおよび中間フランジ５ｂと受け金具４の下側に突設された下端フランジ５ｃとを有し、上端フランジ５ａと中間フランジ５ｂとの間に弛み防止板７が挿入されている。
【００１６】
なお、中間フランジ５ｂの先端部に上端フランジ５ａ側にほぼ垂直に立ち上がるリップ片５ｄが形成されていることで、クサビ６を挿入する前の弛み防止板７を上端フランジ５ａと中間フランジ５ｂとリップ片５ｄとウェブとからなる矩形状の嵌合部に嵌合して予め仮付けしておくことができる。  
【００１７】
連結金具５の上端フランジ５ａ、中間フランジ５ｂおよび下端フランジ５ｃと弛み防止板７にそれぞれクサビ孔８ａ，８ｂ，８ｃ，８ｄが上下方向に連通して形成され、クサビ孔８ａ，８ｂ，８ｃ，８ｄはクサビ６の形状に対応して径(横幅)が徐々に違っている。
【００１８】
すなわち、上端フランジ５aのクサビ孔８ａの横幅が一番大きく、続いて弛み防止板７のクサビ孔８ｂ，中間フランジ５ｂのクサビ孔８ｃ，下端フランジ５ｃのクサビ孔８ｄの順に徐々に小さくなっている。そして、クサビ孔８ａ，８ｂ，８ｃ，８ｄにクサビ６が連続して挿入されている。
【００１９】
このような構成において、特にクサビ６は連結金具５の上端フランジ５ａと下端フランジ５ｂに形成されたクサビ孔８aと8cに挿入され、さらに上端フランジ５ａと中間フランジ５ｂとの間に介在された弛み防止板７のクサビ孔８bにも挿入され、三ヶ所で固定されているため、衝撃や振動などによってクサビ６が簡単に抜けてしまうことはない。
【産業上の利用可能性】
【００２０】
本願発明は、縦地材と横地材といった部材どうしをきわめて簡単に、しかも外れないにように確実に連結することができる。
【図面の簡単な説明】
【００２１】
【図１】パレットの一例を示し、(ａ)はその斜視図、(ｂ)は建地材と横地材との連結部を示す分解斜視図である。
【図２】建地材と横地材との連結部を示し、(ａ)は縦断面図、(ｂ)は(ａ)におけるイ−イ線断面図である。
【図３】(ａ)はパレット一例を示す斜視図、(ｂ)，(ｃ)は従来の建地材と横地材との連結部を示し、(ｂ)はその分解斜視図、(ｃ)は縦断面図である。
【符号の説明】
【００２２】
１  パレット本体
２  建地材
３  横地材
４  受け金具
４ａ  クサビ孔
５  連結金具
５ａ  上端フランジ
５ｂ  中間フランジ
５ｃ  下端フランジ
５ｄ  リップ片
６  クサビ
７  弛み防止板
８ａ  クサビ孔
８ｂ  クサビ孔
８ｃ  クサビ孔
８ｄ  クサビ孔
【図１】
2005225524.tif 000003
【図２】
2005225524.tif 000004
【図３】
2005225524.tif 000005